(57)【要約】      （修正有）【課題】本体部と把持部を接続ケーブルで接続する際、別途延長ケーブルなどを用いること無く、本体部と把持部の距離を変更できる撮像装置を提供する。【解決手段】本体部と把持部を有し、把持部が操作部を有し、操作部の操作情報を、接続線を介して本体部と通信可能に構成され、把持部と本体部の距離が可変である構成で、把持部に接続線の長さを調節する機能を有する。【選択図】図３
2017068182.tif 000002
【特許請求の範囲】
【請求項１】
本体部と把持部を有する撮像装置に於いて、
前記把持部が操作部を有し、前記操作部の操作情報を、接続線を介して前記本体部と通信可能に構成され、前記把持部と前記本体部の距離が可変である構成で、
前記把持部に前記接続線の長さを調節する機能を有することを特徴とする撮像装置。
【請求項２】
前記把持部は内部に前記接続線を巻き付け可能な接続線巻き付け構造を有することを特徴とする請求項１に記載の撮像装置。
【請求項３】
前記把持部は把持状態に於いて使用者の掌と当接する当接面を有し、前記当接面に設けられた蓋部材を開閉可能に構成され、前記蓋部材を開けると、前記接続線巻き付け構造が表出することを特徴とする請求項２に記載の撮像装置。
【請求項４】
前記巻き付け構造は、接続線を巻きつける柱部材と、前記柱部材の前記蓋部材側先端に設けられた接続線係止部からなり、前記接続線係止部と前記蓋部材は当接可能な距離で構成されていることを特徴とする請求項３に記載の撮像装置。
【請求項５】
前記巻き付け構造は、前記操作部材と前記当接面に囲まれた領域に配置されることを特徴とする請求項４に記載の撮像装置。
【発明の詳細な説明】
【技術分野】
【０００１】
本発明は、把持部に接続ケーブル収納機能を有した撮像装置に関する。
【背景技術】
【０００２】
従来より特許文献１のように、把持部が本体と分離可能で、接続ケーブルを介して接続がなされている撮像装置が使用されていた。
【０００３】
特許文献１の撮像装置は、把持部（カメラグリップ）と本体の距離を変える必要がなかったが、近年の撮像装置に於いては、取り付けられるレンズの種類が多様になり、本体と把持部の距離を変えられる構成が望まれていた。
【先行技術文献】
【特許文献】
【０００４】
【特許文献１】特開２０１３−９２６６９号公報
【発明の概要】
【発明が解決しようとする課題】
【０００５】
特許文献１の撮像装置で把持部と本体部の距離を変える場合、接続ケーブルに対して延長ケーブルを接続するなどして、別途接続手段を用意する必要があった。また、初めから長いケーブルや、伸縮性を有したケーブルを用いると、把持部と本体を近づけた際に、垂れ下ってしまうという問題があった。
【０００６】
上記のような課題を鑑み、本発明は、本体部と把持部を接続ケーブルで接続する際、別途延長ケーブルなどを用いること無く、本体部と把持部の距離を変更できる撮像装置を提供することを目的とする。
【課題を解決するための手段】
【０００７】
上記の目的を達成するために、本発明に係る撮像装置は、
本体部と把持部を有し、前記把持部が操作部を有し、前記操作部の操作情報を、接続線を介して前記本体部と通信可能に構成され、前記把持部と前記本体部の距離が可変である構成で、前記把持部に前記接続線の長さを調節する機能を有することを特徴とする。
【発明の効果】
【０００８】
本発明によれば、本体部と把持部を接続ケーブルで接続する際、別途延長ケーブルなどを用いること無く、本体部と把持部の距離を変更できる撮像装置の提供を実現できる。
【図面の簡単な説明】
【０００９】
【図１】デジタルビデオカメラ１０１の外観斜視図
【図２】デジタルビデオカメラ１０１の使用状態模式図
【図３】グリップ部１０６の外観図
【図４】グリップ部１０６の把持状態模式図
【図５】グリップ部１０６の断面模式図
【発明を実施するための形態】
【００１０】
以下、本発明を実施するための形態を図面に基づいて説明する。
【００１１】
＜第１の実施形態＞
図１（ａ）、（ｂ）、（ｃ）に、本実施例におけるデジタルビデオカメラ１０１の外観斜視図を示す。以降の説明に用いる前後上下左右は図示の座標系ｘｙｚ１０２に則る。ｘ方向の矢印方向が前、矢印と反対方向が後、ｙ方向の矢印方向が上、矢印と反対方向が下、ｚ方向の矢印方向が右、矢印と反対方向が左とする。
【００１２】
デジタルビデオカメラ１０１は前面に交換レンズを取り付けるマウント部１０３を有する。マウント部１０３の下面側には、前面に突出したアクセサリ取り付け棒１０４を２本有する。前記２本のアクセサリ取り付け棒１０４にはグリップ取りつけ部１０５が図示の通り取り付けられ、このグリップ取りつけ部１０５にはグリップ部１０６が取り付けられている。グリップ部１０６とグリップ取りつけ部１０５の接続は図示しないネジなどで、着脱可能に構成されている。グリップ部１０６は接続ケーブル１０７を介してデジタルビデオカメラ１０１本体と接続されるとともに、グリップ取りつけ部１０５がアクセサリ取り付け棒１０４上で前後に移動することで、グリップ部１０６とデジタルビデオカメラ１０１本体の距離を調節可能に構成されている。
【００１３】
また、図１（ｃ）に示すような下面側グリップ取りつけ部１０８を用いることで、図１（ｃ）に示す位置にグリップ部１０６を取り付けることが可能である。図１（ｂ）に示す構成と図１（ｃ）に示す構成で必要とされる接続ケーブル１０７の長さが異なるのは図の通りである。
【００１４】
また、デジタルビデオカメラ１０１の下面には肩パッド１０９を有する。肩パッド１０９の使用方法は後述する。
【００１５】
次にデジタルビデオカメラ１０１の使用状態について記す。図２（ａ）には、図１（ｂ）のデジタルビデオカメラ１０１の使用状態を示す。図２（ｂ）には、図１（ｃ）のデジタルビデオカメラ１０１の使用状態を示す。
【００１６】
マウント部１０３には交換レンズ２０１を図の通り取り付け、デジタルビデオカメラ１０１の使用者２０２は肩パッド１０９に肩２０３を図の通り載せて使用する。これは一般的な肩乗せ式ビデオカメラで用いられる使用状態である。さらに、使用者２０２は右手２０４でグリップ部１０６を把持する。使用者２０２の趣向に応じて、図２（ａ）のように交換レンズ２０１近傍で把持する姿勢と、図２（ｂ）のように使用者２０２の右肘２０５が約９０度になるような姿勢を取ることが可能である。
【００１７】
次にグリップ部１０６の詳細について記す。
【００１８】
図３（ａ）に、グリップ部１０６の外観左側面視図を示す。
【００１９】
グリップ部１０６の上面にスイッチＡ３０１、スイッチＢ３０２、スイッチＣ３０３、スイッチＤ３０４、ダイアル３０５が図示の通り配置されている。前記スイッチ類は接続ケーブル１０７を介してデジタルビデオカメラ１０１本体の制御や、交換レンズ２０１の制御をおこなうことが可能である。たとえば、スイッチＡ３０１は交換レンズ２０１の自動露出設定を行い、スイッチＢ３０２は前記自動露出設定の自動手動の切り替えを行い、スイッチＣ３０３は交換レンズ２０１の画角調節を行い、スイッチＤ３０４はデジタルビデオカメラ１０１の表示切り替えを行い、ダイアル３０５は交換レンズ２０１の露出調節を行う、などを可能にすることができる。
【００２０】
グリップ部１０６の左側面にはケーブル収納部蓋３０６を有している。ケーブル収納部蓋３０６は蓋固定ネジ３０７でグリップ部１０６に固定され、蓋固定ネジ３０７を緩めることによって、ケーブル収納部蓋３０６はグリップ部１０６から開閉可能に構成されている。
【００２１】
図３（ｂ）に、グリップ部１０６からケーブル収納部蓋３０６を外した状態の外観左側面視図を示す。
【００２２】
グリップ部１０６からケーブル収納部蓋３０６を外した箇所にはケーブル収納部３０８を有し、ケーブル巻きつけ部材３０９が図の通り配置され、ケーブル巻きつけ部材３０９の外周に図の通り接続ケーブル１０７を巻き付け可能に構成されている。
【００２３】
図３（ｃ）に、グリップ部１０６から蓋固定ネジ３０７及びケーブル収納部蓋３０６、ケーブル巻きつけ部材３０９を模式的に展開した外観斜視図を示す。
【００２４】
ケーブル巻きつけ部材３０９は巻き付け柱部３１０とケーブル抑制部３１１からなる。巻き付け柱部３１０がケーブル収納部３０８に固定され、巻き付け柱部３１０に接続ケーブル１０７を巻きつける。巻きつけ状態の詳細に関しては後述する。
【００２５】
図４に、グリップ部１０６の把持状態を示す。
【００２６】
グリップ部１０６に使用者の右手２０４を図のように添え、スイッチＡ３０１からダイアル３０５を指先４０１で触れるように把持する。その際、一般的なビデオカメラの把持部と同様に、グリップ部１０６に掌４０２が触れる個所が、図のような略円弧上の形状を成している。前記ケーブル収納部蓋３０６はこの掌４０２が触れる個所に位置しているのは図示の通りである。
【００２７】
図５（ａ）に、グリップ部１０６の断面を説明するための左側面図を示す。図５（ｂ）、（ｃ）には、図５（ａ）のＡ−Ａ線による断面模式図を示す。
【００２８】
ケーブル収納部３０８は図に示す通り、スイッチＣ３０３の領域と、接続基板５０１と、略円弧上をしたケーブル収納部蓋３０６で囲まれた斜線部５０２に配置されている。
【００２９】
さらに、図５（ｃ）に、斜線部５０２内での巻き付け状態詳細を示す。
【００３０】
ケーブル巻きつけ部材３０９はケーブル収納部蓋３０６の内側に内接するようにケーブル抑制部３１１が構成されている。このようにすることで、ケーブル収納部蓋３０６に荷重がかかっても容易にたわまない構成をとることが可能である。接続ケーブル１０７は図の通り巻き付け柱部３１０に巻きつけることで、ケーブル抑制部３１１から左方向にはみ出さないような構成である。
【００３１】
本実施例ではデジタルビデオカメラの例を用いて説明したが、本発明を適応可能な構成はこの限りではない。デジタルカメラ、携帯情報端末等でも適応可能であることは言うまでもない。
【符号の説明】
【００３２】
１０１  デジタルビデオカメラ、１０２  座標系ｘｙｚ、１０３  マウント部、
１０４  アクセサリ取り付け棒、１０５  グリップ取りつけ部、１０６  グリップ部、
１０７  接続ケーブル、１０８  下面側グリップ取りつけ部、１０９  肩パッド、
２０１  交換レンズ、２０２  使用者、２０３  肩、２０４  右手、２０５  右肘、
３０１  スイッチＡ、３０２  スイッチＢ、３０３  スイッチＣ、３０４  スイッチＤ、
３０５  ダイアル、３０６  ケーブル収納部蓋、３０７  蓋固定ネジ、
３０８  ケーブル収納部、３０９  ケーブル巻きつけ部材、３１０  巻き付け柱部、
３１１  ケーブル抑制部、４０１  指先、４０２  掌、５０１  接続基板、
５０２  斜線部
【図１】
2017068182.tif 000003
【図２】
2017068182.tif 000004
【図３】
2017068182.tif 000005
【図４】
2017068182.tif 000006
【図５】
2017068182.tif 000007